(57)【要約】      （修正有）【課題】ディスク装置内へディスクが挿入されたことを検知する手段の小型化を図り、小型で薄型のディスク装置を提供する。【解決手段】ディスク装置は、フローティングユニット１０に電気回路基板８とディスク挿入検知レバー４１とを設け、ディスク挿入検知レバーがディスク挿入排出口近傍に配設され、挿入されたディスク状記録媒体の外縁により押圧されて回動し、電気回路基板にディスク検知信号を出力するスイッチ８１を直接的に駆動するよう構成されている。【選択図】図８
2008269782.tif 000002
【特許請求の範囲】
【請求項１】
固定部となる固定フレーム、及び
前記固定フレームに弾性部材を介して前記固定フレームの内部に配置され、挿入されたディスク状記録媒体の記録及び／又は再生を行う機能を有するフローティングユニットを具備し、
前記フローティングユニットが、固定フレームに形成されたディスク挿入排出口から挿入された前記ディスク状記録媒体を搬送するディスク搬送手段と、
前記ディスク状記録媒体を記録再生位置で挟着するためのディスク挟着手段と、
前記ディスク状記録媒体を回動して記録再生を行うディスク記録再生駆動手段と、
前記ディスク搬送手段と前記ディスク挟着手段と前記ディスク記録再生駆動手段とを駆動制御する電気回路を有する電気回路基板と、
ディスク挿入排出口を形成する面に配設され、挿入された前記ディスク状記録媒体の外縁により押し下げられる方向に回動し、前記電気回路にディスク検知信号を出力するスイッチを直接的に駆動するディスク挿入検知レバーと、
を具備することを特徴とするディスク装置。
【請求項２】
ディスク挿入検知レバーは、ディスク挿入排出口の両側近傍に配設され、両側に広がりその両端が少し持ち上がった羽根形状部分と、回動により電気回路基板のスイッチを押圧する突起とを有している請求項１に記載のディスク装置。
【請求項３】
イジェクト検出レバーをディスク挿入検知レバーの近傍に配置して、ディスク状記録媒体の外縁により押圧されて回動し、前記電気回路にディスクの排出動作を検知する信号を出力するよう構成された請求項１又は２に記載のディスク装置。
【発明の詳細な説明】
【技術分野】
【０００１】
本発明は、ＣＤ、ＤＶＤ等のディスク状記録媒体の記録及び／又は再生を行うディスク装置に関し、特にディスク状記録媒体を装着するためのディスクローディング機構に関する。
【背景技術】
【０００２】
近年、ＣＤ、ＤＶＤ等のディスク状記録媒体（以下、ディスクと略称する）を記録及び/又は再生するディスク装置が小型、軽量化されて携帯用又は車載用として用いられてい
る。このようなディスク装置において、装置外部からの振動がディスクを載置するターンテーブルに直接的に伝わらないよう、ターンテーブルやスピンドルモータが実装されたフレームは、粘弾性手段により保持されたフローティング構造となっている。このようなフローティング構造のフレーム（フローティングフレーム）には、挿入されたディスクを記録再生位置に搬送したり記録再生位置からディスクを排出するディスク搬送駆動機構、記録再生位置のディスクを固定するディスク挟着機構、及び記録再生位置のディスクを記録再生するためのディスク記録再生機構等が設けられている（例えば、特許文献１参照。）。
【特許文献１】特開平０７−２７２４１７号公報（第４−６頁、第３図）
【発明の開示】
【発明が解決しようとする課題】
【０００３】
従来のディスク装置において、ディスクが挿入されることにより装置内部の各機構が動作を開始するよう構成されている。したがって、ディスクが挿入されたことを検知するためにディスク挿入検知手段が設けられていた。従来のディスク装置においては、ディスク挿入検知手段及び各機構を制御する電気回路基板がディスク装置の外観となる筐体に固着された固定側フレームに設けられていた。したがって、ディスク装置内部のフローティングフレームに対して挿入されたディスクが固定側フレームに設けられたディスク挿入検知手段により検知され、そのディスク検知情報が電気回路基板の電気回路に信号として入力される構成であった。この結果、従来のディスク装置においては、ディスク挿入検知手段を配設し動作させるために、固定側フレームとフローティングフレームの両方に空間を確保する必要があり、また部品点数が多いため、ディスク挿入検知手段はディスク装置の小型化及び薄型化における障害となっていた。
本発明は、従来のディスク装置の小型化及び薄型化の障害となっていたディスク挿入検知手段の小型化を図り、小型で薄型のディスク装置を提供することを目的としてなされたものである。
【課題を解決するための手段】
【０００４】
本発明に係るディスク装置は、固定部となる固定フレーム、及び前記固定フレームに弾性部材を介して前記固定フレームの内部に配置され、挿入されたディスク状記録媒体の記録及び／又は再生を行う機能を有するフローティングユニットを具備し、前記フローティングユニットが、固定フレームに形成されたディスク挿入排出口から挿入された前記ディスク状記録媒体を搬送するディスク搬送手段と前記ディスク状記録媒体を記録再生位置で挟着するためのディスク挟着手段と、前記ディスク状記録媒体を回動して記録再生を行うディスク記録再生駆動手段と、前記ディスク搬送手段と前記ディスク挟着手段と前記ディスク記録再生駆動手段とを駆動制御する電気回路を有する電気回路基板と、ディスク挿入排出口を形成する面に配設され、挿入された前記ディスク状記録媒体の外縁により押し下げられる方向に回動し、前記電気回路にディスク検知信号を出力するスイッチを直接的に駆動するディスク挿入検知レバーと、を具備する。このように構成されたディスク装置においては、挿入されたディスクを確実に検出するディスク挿入検知レバーを小さく構成することが可能となり、装置全体の小型化、薄型化を達成する。
【０００５】
本発明に係るディスク装置は、ディスク挿入検知レバーが、ディスク挿入排出口の両側近傍に配設され、両側に広がりその両端が少し持ち上がった羽根形状部分と、回動により電気回路基板のスイッチを押圧する突起とを有するよう構成してもよい。このように構成することにより、本発明のディスク装置はディスク状記録媒体の挿入状態を確実に検知することができる。
【０００６】
本発明に係るディスク装置は、さらにイジェクト検出レバーをディスク挿入検知レバーの近傍に配置して、ディスク状記録媒体の外縁により押圧されて回動し、前記電気回路にディスクの排出動作を検知する信号を出力するよう構成してもよい。このように構成することにより、本発明のディスク装置はディスク状記録媒体の挿入状態を確実に検知することができると共に、ディスク状記録媒体の排出状態を検知することが可能となる。
【発明の効果】
【０００７】
本発明によれば、装置外観を構成する筐体に固着された固定側フレームに粘弾性的に保持されたフローティングユニットを設け、当該フローティングユニットに、挿入されたディスクを確実に検知するディスク検知レバー及びディスクを記録再生するための各機能を駆動制御する電気回路を設けることにより、ディスク挿入検知手段の小型化を達成することが可能となり、小型で薄型のディスク装置を提供するができる。
【発明を実施するための最良の形態】
【０００８】
以下、本発明に係るディスク装置の好適な実施の形態について添付の図面を参照して説明する。
【０００９】
《実施の形態１》
図１は実施の形態１のディスク装置における外観となる筐体を取り除いた状態を示す斜視図である。図２は図１に示したディスク装置に対してディスク状記録媒体であるディスクが挿入された状態を示す斜視図である。図３は図１に示したディスク装置の内部構成を示す分解斜視図である。
図１から図３に示す実施の形態１のディスク装置は、ディスク状記録媒体であるディスク１０１、例えば、ＣＤ、ＤＶＤ等の記録及び再生を行う機能を有しており、ディスク１０１がその直径方向に挿入されて装着され、当該ディスク１０１の記録又は再生が行われる。
【００１０】
実施の形態１のディスク装置は、外観となる筐体に固定された上フレーム１と下フレーム９を有しており、その内部に複数の粘弾性体であるダンパーバネ９０（図３）により粘弾性的に支持されたフローティングユニット１０が設けられている。
【００１１】
図３に示すように、フローティングユニット１０には挿入されたディスク１０１をターンテーブル７０により挟着するクランパ部３と、挿入されたディスク１０１を搬送するディスク搬送部４と、ディスク搬送部４の駆動源等を有するディスク搬送駆動部５と、ディスク１０１を記録再生位置に配置するトラバースシャーシ６と、ディスク１０１を回転駆動してデータの記録又は再生を行うディスク記録再生駆動部７と、トラバースシャーシ６の裏面（ディスク載置面と反対の面）にはフローティングユニット１０内の各機構を駆動制御する電気回路を有するプリント基板８が設けられている。
上記のように構成されたフローティングユニット１０は、上フレーム１と下フレーム９のそれぞれに設けられた複数のダンパーバネ９０により粘弾性的にフローティング状態で保持されている。
【００１２】
図４は上フレーム１を示す分解斜視図である。図４に示すように、上フレーム１には、その裏面にディスクガイド２が２箇所で回動可能に懸装されている。ディスクガイド２の２つの突起２ａ、２ａが上フレーム１に形成された係合孔１ａ，１ａにそれぞれ係合して、ディスクガイド２は上フレーム１に対してその係合部分を中心に装置前面側が所定角度回動するよう構成されている。
【００１３】
図５はクランパ部３を示す斜視図である。図５に示すように、クランパ部３は挿入されたディスク１０１を押圧するクランパ３０と、クランパ３０を遊動可能に保持するクランパ保持部３１と、クランパ保持部３１をクランパアーム３２を介してトラバースシャーシ６に固定するクランパベース３３とを有している。クランパベース３３とクランパ保持部３１とを機械的に接続するクランパアーム３２は、弾性部材、例えば薄い金属板で構成されており、クランパ３０によるディスク挟着時の押圧力を規制している。クランパ３０はクランパ保持部３１により回転可能な係合状態で保持されている。
上記のように構成されたクランパ部３は、ディスク１０１が挿入されて搬送されているとき、ターンテーブル７０の上方、即ちターンテーブル７０から離間する位置に配置されて、上フレーム１に当接している。クランパ部３はクランパベース３３がフローティングユニット１０のトラバースシャーシ６に軸止されており、その軸に設けた付勢手段（図示省略）、例えばバネやクランク機構やカム機構によりクランパ３０がターンテーブル７０の方向に常に付勢されている。しかし、ディスク１０１が記録再生位置以外のときには、クランパ３０は係止手段により上フレーム１に当接して、クランパ３０がターンテーブル７０から離間する位置に配置される。そして、ディスク１０１が挿入されてターンテーブル７０上の位置（記録再生位置）に搬送されたとき、前記係止手段が外れてバネの付勢力やクランク機構やカム機構によりクランパ３０がディスク１０１を間にしてターンテーブル７０を押圧する。
【００１４】
図６は、実施の形態１のディスク装置におけるフローティングユニット１０のディスク搬送部４、ディスク搬送駆動部５、及びトラバースシャーシ６を示す斜視図である。
ディスク搬送部４は、ディスク挿入排出口１１に挿入されたディスク１０１をディスクガイド２に押し付けて自転することにより装置内を所定軌跡で搬送する搬送ローラ４０ａを持つローラアーム４０を有している。ローラアーム４０の搬送ローラ４０ａは、ディスク１０１が記録再生位置以外の時、バネの付勢力によりディスクガイド２に押し付けられており、ディスク搬送が完了してディスク１０１が記録再生位置に到達したとき、ローラアーム４０の搬送ローラ４０ａが下方（ディスクガイド２から離間する方向）に移動するよう構成されている。
【００１５】
実施の形態１のディスク装置においては、搬送ローラ４０ａの回転軸の方向が、ディスク装置のディスク挿入排出口１１のある装置前面に対して所定角度傾いている。これは、トラバースシャーシ６におけるディスク１０１の挿入及び排出の移動軌跡がディスク装置のディスク挿入排出口１１と平行な線に対して直交するよう、すなわち装置の上面から見たとき装置の前後方向に真っ直ぐ移動するよう構成されていないため、ディスク１０１を斜行して搬送する必要があるためである。したがって、挿入されたディスク１０１は、ディスク挿入排出口１１のある装置前面に対して斜めに搬送されるよう構成されている。実施の形態１におけるトラバースシャーシ６には、ディスク搬送駆動部５のモータ５０がトラバースシャーシ６の前面であるディスク挿入排出口１１の近傍に配設されており、モータ５０の奥側に記録再生位置の一部が配置されている。このため、実施の形態１においては、ディスク挿入排出口１１からディスク１０１を斜めに搬送するよう構成されている。
【００１６】
図６に示すディスク搬送駆動部５は、ディスク搬送時（ディスクローディング時）にローラアーム４０の搬送ローラ４０ａを回転駆動するモータ５０と、ディスク挿入前及びディスク排出完了時（ディスクアンローディング時）にトラバースシャーシ６を上フレーム１に固定する制御スライダ５１と、ディスク搬送が完了してディスク１０１の記録再生位置の到達を検知するトリガーレバー５２と、モータ５０の回転を制御スライダ５１等に伝動するギヤ列５３とを有している。なお、図６においては、トリガーレバー５２がトラバースシャーシ６内の後方位置に配置して示したが、トリガーレバー５２の一端は制御スライダ５１の後方端部に接触するよう構成されており、トリガーレバー５２の移動により制御スライダ５１が連動するよう構成されている。トリガーレバー５２の他端であるトラバースシャーシ６内の端部は、ディスク１０１が記録再生位置の上方に到達したときディスク１０１の縁部と当接する位置に配置されている。
上記のように構成されたディスク搬送部４とディスク搬送駆動部５とが装着されたトラバースシャーシ６の裏面には、ディスク記録再生駆動部７とプリント基板８が取り付けられている。
【００１７】
トラバースシャーシ６の前面には、ディスク挿入排出口１１の近傍に配置され、ディスク１０１が装置内に挿入されたことを検出するディスク挿入検知レバー４１と、ディスク挿入検知レバー４１の後方に配置され、ディスク１０１の排出状態を検出するイジェクト検出レバー４２とが設けられている。ディスク挿入検知レバー４１とイジェクト検出レバー４２は、バネの付勢力により常に上方向へ付勢されており、ディスク１０１が挿入されていないとき、上方の所定位置に配置されている。
図６に示すように、ディスク挿入検知レバー４１は、ディスク挿入排出口１１の両側近傍に配設されており、両側に広がりその両端が少し持ち上がった羽根形状を有している。ディスク１０１がディスク挿入排出口１１から挿入されたとき、ディスク１０１の外縁部分が両側に配置されたディスク挿入検知レバー４１のいずれか一方若しくはそれぞれの検出面（図６における上面）４１ａを押し広げて、ディスク挿入検知レバー４１に形成された突起４１ｂがメカニカルスイッチである検出スイッチ８１を押圧する。この検出スイッチ８１が押圧されることにより、搬送ローラ４０ａの回転が始動し、その回転により挿入されたディスク１０１がトラバースシャーシ６における所望の位置に搬送される。
【００１８】
図７は、ディスク記録再生駆動部７、プリント基板８、及び下フレーム９を示す分解斜視図である。下フレーム９はトラバースシャーシ６等を有するフローティングユニット１０をダンパーバネ９０により保持している。図７に示すように、ディスク記録再生駆動部７はディスク１０１を載置して回転駆動するターンテーブル７０、このターンテーブル７０を回転するスピンドルモータ７１、ディスク１０１の記録再生を行う光ピック部７２、及び光ピック部７２をディスク１０１の径方向に駆動する光ピック駆動モータ７３を有している。プリント基板８はトラバースシャーシ６の裏面に取り付けられており、トラバースシャーシ６に設けられた各機構を駆動制御する電気回路が実装されている。
【００１９】
上記のように構成されたトラバースシャーシ６は、装置外観となる筐体に取り付けられた固定側フレームである下フレーム９により粘弾性機能を有するダンパーバネ９０により保持されている。ディスク挿入前の状態において、トラバースシャーシ６は制御スライダ５１とローラアーム４０のディスクガイド２への押し付け動作により上フレーム１と下フレーム９によるフレーム内部において下方位置にある。この状態において、ディスク１０１が挿入されると、ディスク１０１がローラアーム４０の搬送ローラ４０ａとディスクガイド２との間に入り記録再生位置に搬送される。ディスク１０１が記録再生位置に到達すると、トラバースシャーシ６はフローティング状態となり上昇して、ディスク１０１はターンテーブル７０とクランパ３０により挟着される。
次に、ディスク１０１の排出動作においては、ローラアーム４０のディスクガイド２への押し付け動作と制御スライダ５１により、ダンパーバネ９０が圧縮されてトラバースシャーシ６が下降して固定側フレーム内部の下方位置となる。
【００２０】
次に、実施の形態１のディスク装置におけるフローティングユニット１０に設けられたディスク挿入検知レバー４１について詳細に説明する。
図８は実施の形態１における上フレーム１とフローティングユニット１０と下フレーム９の前面側、すなわちディスク挿入排出口側のそれぞれを示す正面図であり、フローティングユニット１０と下フレーム９とを粘弾性的に接続するダンパーバネ９０をフローティングユニット１０と下フレーム９との間に示している。ダンパーバネ９０は、渦巻きバネ９０ａと絶縁材料で形成されたダンパー９０ｂとに構成されている。ダンパー９０ｂは、例えばゴムを材料として形成され、耐振性を向上させるために設けられている。
【００２１】
図８に示すように、ディスク挿入検知レバー４１は、ディスク挿入排出口近傍であるフローティングユニット１０の前面側の両側に配設されている。ディスク挿入検知レバー４１のそれぞれは、装置の内側に回動中心軸４１ｂがあり、装置の外側に向かって延設された検知部４１ｃが外側に広がりその両端が少し持ち上がった羽根形状を有している。検知部４１ｃのディスク１０１に対向する面である上面が検出面４１ａとなっている。検知部４１ｃに対して回動中心軸４１ｂを間にした反対側には突起４１ｄが形成されている。この突起４１ｄは、フローティングユニット１０のトラバースシャーシ６の裏面に配設されたプリント基板８にあるメカニカルスイッチである検出スイッチ８１から所定距離を有して配設されており、突起４１ｄの移動により確実に検出スイッチ８１が動作するよう構成されている。
【００２２】
図９は図８に示した実施の形態１における上フレーム１とフローティングユニット１０と下フレーム９に対してディスク１０１が装着された状態を示す正面図である。図１０は実施の形態１におけるディスク挿入検知レバー４１の動作を示す拡大正面図である。図１０においては、ディスク挿入検知レバー４１を平行斜線で示している。図１０において、（ａ）はディスクが装着されていないときのディスク装置前面から見た左側のディスク挿入検知レバー４１を示し、（ｂ）はディスクが装着されていないときのディスク装置前面から見た右側のディスク挿入検知レバー４１を示している。また、図１０の（ｃ）はディスクが装着されたときのディスク装置前面から見た左側のディスク挿入検知レバー４１を示し、（ｄ）はディスクが装着されたときのディスク装置前面から見た右側のディスク挿入検知レバー４１を示している。
【００２３】
図９及び図１０の（ｃ）と（ｄ）に示されているように、ディスク１０１がディスク挿入排出口１１から挿入されたとき、ディスク１０１の外縁部分が両側に配置されたディスク挿入検知レバー４１の斜行している検出面（図６における上面）４１ａを押し広げる。このとき、ディスク１０１の記録面には検出面４１ａが接触しないよう、羽根形状の検出部４１ｃは常に両側が持ち上がった状態である。このように検出部４１ｃが回動することにより、回動中心軸４１ｂを介して設けられている各突起４１ｄは、検出スイッチ８１を押圧してオン状態とする。検出スイッチ８１のオン状態により、プリント基板８の電気回路にディスク挿入検知信号が入力され、フローティングユニット１０に設けられている各機構が駆動される。
【００２４】
次に、上記のように構成された実施の形態１のディスク装置の動作について説明する。
実施の形態１のディスク装置に対してディスク１０１がそのディスク挿入排出口１１から挿入されると、ディスク挿入検知レバー４１がディスク１０１により押し下げられて、ディスク１０１の挿入が検知される。ディスク１０１の挿入が検知されると、ローラアーム４０が自転すると共にディスク１０１を上フレーム１のディスクガイド２に押し付ける。その結果、ディスク１０１はディスク装置内部のディスク記録再生位置に搬送される。このとき、ディスク搬送駆動部５における制御スライダ５１が上フレーム１と当接しており、トラバースユニット６は固定状態となっている。
【００２５】
実施の形態１のディスク装置においては、ローラアーム４０がディスク挿入排出口１１、すなわち装置前面に対して斜行して取り付けられているため、ディスク１０１は装置前面に対して斜めに搬送される。これは、図６に示すように、ディスク挿入排出口１１において装置に向かって左側の位置にモータ５０が配設されており、かつディスク記録再生位置の一部がそのモータ５０の奥側に配置されているためである。このように実施の形態１のディスク装置においては、トラバースシャーシ６における各機構が有機的に配置されているとともに、デッドスペースが生じないよう効率的に配設されている。
【００２６】
ディスク１０１がディスク記録再生位置に達すると、トリガーレバー５２とディスク１０１が接触し、その後の制御スライダ５１等の一連動作によりローラアーム４０の回転が停止し、ローラアーム４０がディスク記録再生面より下側へ下降する。このローラアーム４０のディスク記録再生面より下側への下降動作により、ローラアーム４０とディスク１０１を介して接触しているディスクガイド２も同様に下降動作を行う。このディスクガイド２の下降動作において、ディスクガイド２は２箇所の係合位置で上フレーム１に懸装されているため、その係合位置を中心として回動して、トラバースシャーシ６の前面側に形成されたチンガード６１に当接する。このようにディスクガイド２が回動してチンガード６１に当接することにより、ディスク挿入排出口１１の一部が塞がれ、さらなるディスク１０１の挿入が禁止される。なお、トラバースシャーシ６の前面側に形成されたチンガード６１は、ディスク挿入排出口１１の下側を構成するフレームであり、装置前面側にディスクが収納されるよう湾曲して飛び出して形成されている。
【００２７】
また、ディスク搬送駆動部５のトリガーレバー５２がディスク１０１と接触することにより、制御スライダ５１がディスク挿入時と逆の方向へ移動する。このように制御スライダ５１が移動することにより、制御スライダ５１と上フレーム１との当接状態が外れ、トラバースユニット６はダンパーバネ９０により粘弾性的に指示された状態、すなわちフローティングユニット１０がフローティング状態となる。このフローティング状態において、クランパ部３のクランパ３０が押し下がり、ディスク記録再生位置のディスク１０１をクランパ３０とターンテーブル７０とにより挟着する。この挟着動作により、フローティングユニット１０は下フレーム９の方へ、すなわち下方へ多少移動する。
上記のようにディスク１０１がクランパ３０とターンテーブル７０とにより完全に挟着されると、ディスク１０１が回転すると共に光ピック部７２が移動してディスク１０１の記録又は再生が行われる。
【００２８】
ディスク１０１に対する記録又は再生動作が終了し、例えばディスク排出指令が装置外部から入力されたとき、ローラアーム４０が持ち上げられてディスク１０１を上フレーム１のディスクガイド２に押し付ける。このとき、ディスク搬送駆動部５の制御スライダ５１が移動して、制御スライダ５１と上フレーム１とが当接し、トラバースユニット６の移動を制限する。このとき、ディスクガイド２は持ち上げられるため、ディスク挿入排出口１１は開放状態となる。
【００２９】
上記の状態において、ローラアーム４０が回転して、ディスク１０１をディスク挿入排出口１１から排出する。ディスク１０１の排出状態は、トラバースシャーシ６に設けたイジェクト検出レバー４２により検知される。このイジェクト検出レバー４２は、ディスク挿入排出口１１の両側近傍に配設されたディスク挿入検知レバー４１と同様に、端側が少し持ち上がった羽根形状を有している。ディスク１０１がディスク挿入排出口１１から排出されるとき、ディスク１０１の外縁部分がイジェクト検出レバー４２の検出面（図６における上面）４２ａを押し下げており、ディスク１０１がディスク挿入排出口１１から想定された位置まで排出されたとき、イジェクト検出レバー４２の端部が持ち上がり、ディスク１０１の排出動作が終了したことを検知する。このように、ディスク１０１の排出動作が終了したことにより、ローラアーム４０の回転が停止する。その後、ディスク１０１が完全に排出されたとき、ローラアーム４０はバネの力により上方へ移動して、ディスクガイド２と下フレーム９とに係止される。そして、ディスク１０１の排出動作が完了する。
なお、上記の実施の形態においては、記録及び再生が可能なディスク装置について説明したが、本発明はこのような装置に限定されるものではなく、ディスク状記録媒体の記録装置又は再生装置等のディスク装置においても適用可能である。
【産業上の利用可能性】
【００３０】
発明は、ＣＤ、ＤＶＤ等のディスク状記録媒体の記録又は再生を行う小型のディスク装置に特に有用であり、装置に挿入されたディスクを確実に検知することができる薄型のディスク装置を提供できる。
【図面の簡単な説明】
【００３１】
【図１】本発明に係る実施の形態１のディスク装置における外観筐体を取り除いた状態を示す斜視図である。
【図２】図１に示したディスク装置に対してディスク状記録媒体の挿入途中状態を示す斜視図である。
【図３】図１に示したディスク装置の内部構成を示す分解斜視図である。
【図４】実施の形態１における上フレーム１を示す分解斜視図である。
【図５】実施の形態１におけるクランパ部３を示す斜視図である。
【図６】実施の形態１のディスク装置におけるフローティングユニット１０のディスク搬送部４、ディスク搬送駆動部５、及びトラバースシャーシ６を示す斜視図である。
【図７】実施の形態１のディスク装置におけるディスク記録再生駆動部７とプリント基板８、及びトラバースシャーシ６をダンパーバネ９０により保持する下フレーム９０を示す分解斜視図である。
【図８】実施の形態１における上フレーム１とフローティングユニット１０と下フレームの前面側のそれぞれを示す正面図である。
【図９】図８に示した実施の形態１における上フレーム１とフローティングユニット１０と下フレーム９に対してディスク１０１が装着された状態を示す正面図である。
【図１０】実施の形態１におけるディスク挿入検知レバー４１の動作を示す拡大正面図である。
【符号の説明】
【００３２】
１    上フレーム
２    ディスクガイド
３    クランパ部
４    ディスク搬送部
５    ディスク搬送駆動部
６    トラバースシャーシ
７    ディスク記録再生駆動部
８    プリント基板
９    下フレーム
１０    フローティングユニット
１１    ディスク挿入排出口
４０    ローラアーム
４１    ディスク挿入検知レバー
４１ａ  検出面
４１ｂ  回動中心軸
４１ｃ  検知部
４２    イジェクト検出レバー
８１    検出スイッチ
６１    チンガード
１０１    ディスク
【図１】
2008269782.tif 000003
【図２】
2008269782.tif 000004
【図３】
2008269782.tif 000005
【図４】
2008269782.tif 000006
【図５】
2008269782.tif 000007
【図６】
2008269782.tif 000008
【図７】
2008269782.tif 000009
【図８】
2008269782.tif 000010
【図９】
2008269782.tif 000011
【図１０】
2008269782.tif 000012